(57)【要約】【課題】複数の異なる周波数の無線伝送路を利用してデータを送受信すること。【解決手段】有線側データ処理部１０１と、複数の多重部１０２、１０３と、各多重部１０２、１０３と１対１に対応して設けられて、対応する多重部１０２、１０３が多重処理した後の無線フレームを、互いに異なる周波数信号に乗せて送信する送信部１０４、１０５と、有線側データ処理部１０１の動作を制御する制御部１１０とを備え、制御部１１０は、無線伝送路の符号誤り率がしきい値以上の場合、有線伝送路からの受信データから抽出した同じデータを各多重部１０２、１０３へ送らせるべく、有線側データ処理部１０１の動作を制御し、無線伝送路の符号誤り率がしきい値未満の場合、有線伝送路からの受信データから抽出した異なるデータをそれぞれ各多重部１０２、１０３へ送らせるべく、有線側データ処理部１０１の動作を制御する。【選択図】図１
2012239110.tif 000002
【特許請求の範囲】
【請求項１】
複数の異なる周波数の無線伝送路を利用してデータを送受信する無線通信装置であって、
有線伝送路に対して送受信するデータを処理する有線側データ処理部と、
前記有線側データ処理部が抽出したペイロードデータを無線フレームに多重する複数の多重部と、
前記各多重部と１対１に対応して設けられて、対応する前記多重部が多重処理した後の無線フレームを、互いに異なる周波数信号に乗せて送信する送信部と、
前記有線側データ処理部の動作を制御する制御部と
を備え、
前記制御部は、前記無線伝送路の符号誤り率がしきい値以上の場合、前記有線伝送路からの受信データから抽出した同じデータを前記各多重部へ送らせるべく、前記有線側データ処理部の動作を制御し、前記無線伝送路の符号誤り率がしきい値未満の場合、前記有線伝送路からの受信データから抽出した異なるデータをそれぞれ前記各多重部へ送らせるべく、前記有線側データ処理部の動作を制御する
ことを特徴とする無線通信装置。
【請求項２】
無線伝送路からの受信データからデータを抽出する抽出部
を更に備え、
前記制御部は、前記抽出部が抽出したデータによって示される符号誤り率としきい値とを比較する
ことを特徴とする請求項１に記載の無線通信装置。
【請求項３】
前記制御部は、前記各多重部へのデータの送り方を変更させるよう前記有線側データ処理部の動作を制御する場合、予め設定された時間が経過した後に制御する
ことを特徴とする請求項１又は２に記載の無線通信装置。
【発明の詳細な説明】
【技術分野】
【０００１】
本発明は、無線通信装置に関する。特に、本発明は、複数の異なる周波数の無線伝送路を利用してデータを送受信する無線通信装置に関する。
【背景技術】
【０００２】
送信データを冗長化する既知の無線通信装置は、２つの異なる周波数の無線伝送路のうち、いずれか一方の伝送路を主伝送路として信号を伝送すると共に、常に同時にもう一方の伝送路にも同じ信号を伝送している。このような構成にすることによって、主伝送路において何らかの障害が発生した場合には、もう一方の伝送路を主伝送路として切替え、伝送を継続することができる。
【０００３】
また、同様に２つの周波数帯の無線伝送路を利用する既知の他の無線通信装置は、互いの伝送路にそれぞれ異なる信号を伝送することにより、上記の冗長化する装置よりも高速にデータを送信することができる。
【０００４】
また、特許文献１には、デジタルデータの送受信を行うモジュールを利用するデータ伝送システムが記載されている。特許文献１に記載のデータ伝送システムは、同一形式の通信モジュールを複数接続して、送信するデータに応じて複数の通信モジュールを使用して、送信する。
【先行技術文献】
【特許文献】
【０００５】
【特許文献１】特開２０１０−１２４１６３号公報
【発明の概要】
【発明が解決しようとする課題】
【０００６】
しかしながら、送信データを冗長化する既知の無線通信装置は、主伝送路の障害発生頻度が低い場合、予備回線を使用する頻度も低い。そのため、予備回線となる周波数帯域を無駄にする可能性が高いという問題がある。また、異なるデータを同時に送信する既知の無線通信装置は、一方の周波数帯の無線伝送路に障害が発生し、伝送不可となった場合に、データ損失や、大幅な伝送遅延を引き起こす可能性がある。
【０００７】
また、特許文献１に記載の技術は、大容量データを送信する際、送信回線状況に拘らず、複数の周波数に異なるデータを送信してしまうため、送信回線状況が悪い場合、データ損失や伝送遅延を引き起こす虞がある。
【課題を解決するための手段】
【０００８】
上記課題を解決するために、本発明の第１の形態によると、複数の異なる周波数の無線伝送路を利用してデータを送受信する無線通信装置であって、有線伝送路に対して送受信するデータを処理する有線側データ処理部と、有線側データ処理部が抽出したペイロードデータを無線フレームに多重する複数の多重部と、各多重部と１対１に対応して設けられて、対応する多重部が多重処理した後の無線フレームを、互いに異なる周波数信号に乗せて送信する送信部と、有線側データ処理部の動作を制御する制御部とを備え、制御部は、無線伝送路の符号誤り率がしきい値以上の場合、有線伝送路からの受信データから抽出した同じデータを各多重部へ送らせるべく、有線側データ処理部の動作を制御し、無線伝送路の符号誤り率がしきい値未満の場合、有線伝送路からの受信データから抽出した異なるデータをそれぞれ各多重部へ送らせるべく、有線側データ処理部の動作を制御する。
【０００９】
なおまた、上記のように発明の概要は、本発明の必要な特徴の全てを列挙したものではなく、これらの特徴群のサブコンビネーションもまた、発明となり得る。
【発明の効果】
【００１０】
以上の説明から明らかなように、この発明は、無線伝送路の符号誤り率が低い場合、周波数帯域を有効に利用して、伝送するデータの出力量を増加させることができる。また、この発明は、無線伝送路の障害発生頻度が高い場合、一方の伝送路の回線断が生じた際の、データ損失や、伝送遅延を軽減することができる。
【図面の簡単な説明】
【００１１】
【図１】一実施形態に係る通信システム１の一例を示す図である。
【図２】無線通信装置１００にて送受信を行う無線フレームの構成例の一例を示す図である。
【図３】無線回路制御部１１０における伝送方式の決定処理の一例を示す図である。
【発明を実施するための形態】
【００１２】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１３】
図１は、一実施形態に係る通信システム１の一例を示す。通信システム１は、２つの無線通信装置１００ａ、ｂ（以下、無線通信装置１００と総称する。）を備える。無線通信装置１００は、２つの異なる周波数の無線伝送路を利用してデータを送受信する。
【００１４】
無線通信装置１００ａは、有線側データ処理部１０１ａ、２つの無線回路多重部１０２ａ、１０３ａ、２つの無線送信部１０４ａ、１０５ａ、２つの無線受信部１０６ａ、１０７ａ、２つの無線回路抽出部１０８ａ、１０９ａ、無線回路制御部１１０ａ、及び４つのアンテナ１１１ａ〜１１４ａを有する。
【００１５】
ここで、図１の無線通信装置１００ａと無線通信装置１００ｂの内部構造は同一である。
【００１６】
有線側データ処理部１０１は、有線側の信号の送受信を行う。無線回路多重部１０２、１０３は、有線側からの信号を多重する。無線送信部１０４、１０５は、ベースバンド信号を無線信号に変調する。無線受信部１０６、１０７は、無線信号をベースバンド信号に復調する。無線回路抽出部１０８、１０９は、多重した信号を抽出する。無線回路制御部１１０は、有線側データ処理部１０１、及び無線回路多重部１０２、１０３に制御信号、又はオーバーヘッドデータを送信する。アンテナ１１１、１１２は、無線信号を送信する。アンテナ１１３，１１４は、無線信号を受信する。
【００１７】
ここで、対向する無線通信装置１００と送受信を行なう無線フレームの構成について図２を用いて説明する。送信フレームと受信フレームは共に同じ構成であり、制御情報部分であるオーバーヘッド部と、送受信するデータ部分であるデータ部とに大別できる。図２に示すとおり、オーバーヘッド部は伝送方法情報及び送信回線情報から構成される。伝送方法情報とは、送信側の無線通信装置の伝送方法を示す情報であり、即ち、２つの異なる周波数の無線伝送路を利用して２つの同じデータを送信する伝送方法（以下、１＋１と称する。）か、２つの異なる周波数の無線伝送路を利用して２つの異なるデータを送信する伝送方法（以下、２＋０と称する。）かの、いずれの方法で送信されているかを示している。
【００１８】
また、送信回線情報とは対向する無線通信装置１００の送信回線の符号誤り率（ＢＥＲ）情報である。
【００１９】
有線側から受信したＬＡＮデータを有線側データ処理部１０１で処理し、ペイロードデータを抽出し、無線回路多重部１０２、１０３に送信する。このとき、有線側データ処理部１０１では無線回路制御部１１０からの伝送制御信号により、２＋０、１＋１のいずれの構成を用いるかを選択する。２＋０構成の場合は、無線回路多重部１０２、１０３に送信するペイロードデータを同じデータとし、１＋１構成の場合は、異なるデータとする。無線回路多重部１０２、１０３では、有線側データ処理部１０１から送信された、ペイロードデータを無線フレームのデータ部に多重し、無線回路制御部１１０から受信した送信回線情報及び伝送方法情報をオーバーヘッド部に多重して、無線フレームデータとして無線送信部１０４、１０５に出力し、無線送信部１０４、１０５で変調した無線信号をアンテナ１１１、１１２から対向の無線通信装置１００へ送信する。無線回路多重部１０２、１０３以降は、２回線それぞれ個別の回路で処理を行う。
【００２０】
対向の無線通信装置１００のアンテナ１１１、１１２から送信される２回線分の無線信号は、自局のアンテナ１１３、１１４より受信し、無線受信部１０６、１０７に送信される。無線受信部１０６、１０７で復調された無線フレームデータは、無線回路抽出部１０８、１０９に送信される。無線回路抽出部１０８、１０９では、まず、対向の無線通信装置１００で付加された無線フレームのオーバーヘッドの分離及び無線フレームデータの誤り符号検出を行い、オーバーヘッドデータ及び誤り符号情報として無線回路制御部１１０に送信する。また、無線回路抽出部１０８、１０９では、無線フレームのデータ部に多重されたデータを抽出し、有線側データ処理部１０１に送信する。有線側データ処理部１０１では無線回路制御部１１０からの受信データ制御信号により、１＋１構成の場合は無線回路抽出部１０８、１０９から送信されたデータの一方を無線フレームに多重しＬＡＮデータとして有線側に送信し、２＋０構成の場合は両方のデータを無線フレームに多重しＬＡＮデータとして有線側に送信する。
【００２１】
無線回路制御部１１０では、無線回路抽出部１０８、１０９より送信した誤り符号情報により、無線通信装置１００の送信回線の符号誤り率（ＢＥＲ）を計算し、送信回線情報として無線回路多重部１０２に送信し、対向する無線通信装置１００に送信する無線フレームのオーバーヘッドに多重する。無線フレームのオーバーヘッドに多重した送信回線情報は対向の無線通信装置１００の無線回路制御部１１０にて抽出される。送信回線情報により無線通信装置１００の伝送方法を決定し、伝送方法が変更となる場合は、伝送制御信号を有線側データ処理部１０１及び無線回線多重部１０２、１０３に送信する。また、無線回路制御部１１０では、現在の伝送方法を対向する無線通信装置１００に伝達するために、伝送方法を示す伝送方法情報を無線回路多重部１０２、１０３に送信し、無線フレームのオーバーヘッドに多重する。無線フレームのオーバーヘッドに多重した伝送方法情報は、無線回路制御部１１０にて抽出する。伝送方法情報により、無線フレームデータが１＋１構成か２＋０構成かを判断し、有線側データ処理部１０１に受信データ制御信号を送信する。
【００２２】
上記では、対向する無線通信装置１００の送信回線の状況による対向する無線通信装置１００の無線伝送方法の切替え方を示したが、無線通信装置１００ａと無線通信装置１００ｂの構成は同様であるため、無線通信装置１００ａの送信回線状況による無線通信装置１００ａの無線伝送方法の切替え方についても上記と同様である。
【００２３】
図３を参照して、無線回路制御部１１０における伝送方法の決定方法について説明する。図３は無線回路制御部１１０における伝送方式の決定処理を説明するフローチャートである。
【００２４】
無線通信装置１００における現在の伝送方法が、２＋０である場合（Ｓ１０１：異なるデータ送信）、以下のように伝送方法を決定する。
【００２５】
無線回路制御部１１０では、無線回路抽出部１０８、１０９より送信されるオーバーヘッドデータに含まれる符号誤り率（ＢＥＲ）の値が、予め設定した伝送方法切替しきい値以上か否かを判定する（Ｓ１０２）。
【００２６】
送信回線ＢＥＲの値が伝送方法切替しきい値以上である場合（Ｓ１０２：Ｙｅｓ）、予め設定した保護時間以上継続したかどうかを判定する（Ｓ１０３）。
【００２７】
保護時間以上継続した場合は（Ｓ１０３：Ｙｅｓ）、伝送方法１＋１を選択する（Ｓ１０４）。また、伝送方法を切替えるための伝送制御信号を有線側データ処理部１０１及び無線回線多重部１０２、１０３に送信する（Ｓ１０８）。
【００２８】
ステップＳ１０１、Ｓ１０２での判定がＮＯであれば、現在の伝送方法を維持し、１＋１への切替は行わない。
【００２９】
また、無線通信装置１００における現在の伝送方法が、１＋１である場合（Ｓ１０１：同一のデータ送信）、以下のように伝送方法を決定する。
【００３０】
無線回路制御部１１０では、無線回路抽出部１０８、１０９より送信されるオーバーヘッドデータに含まれる符号誤り率ＢＥＲの値が、予め設定した伝送方法切替しきい値未満であるか否かを判定する（Ｓ１０５）。
【００３１】
送信回線ＢＥＲの値が伝送方法切替しきい値未満であり（Ｓ１０５：Ｙｅｓ）、予め設定した保護時間以上継続したかどうかを判定する（Ｓ１０６）。
【００３２】
保護時間以上継続した場合は（Ｓ１０６：Ｙｅｓ）、伝送方法２＋０を選択する（Ｓ１０７）。また、伝送方法を切替えるための伝送制御信号を有線側データ処理部１０１及び無線回線多重部１０２、１０３に送信する（Ｓ１０８）。
【００３３】
ステップＳ１０５、Ｓ１０６での判定がＮＯであれば、現在の伝送方法を維持し、２＋０への切替は行わない。
【００３４】
本発明では、無線伝送路の障害発生頻度が低い場合には、周波数帯域を有効に利用し、データの出力量を増加させることができる。また、無線伝送路の障害発生頻度が高い場合には、一方の伝送路の回線断が生じた際の、データ損失や、伝送遅延を軽減することができる。
【００３５】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００３６】
１  通信システム
１００  無線通信装置
１０１  有線側データ処理部
１０２  無線回路多重部
１０３  無線回路多重部
１０４  無線送信部
１０５  無線送信部
１０６  無線受信部
１０７  無線受信部
１０８  無線回路抽出部
１０９  無線回路抽出部
１１０  無線回路制御部
１１１  アンテナ
１１２  アンテナ
１１３  アンテナ
１１４  アンテナ
【図１】
2012239110.tif 000003
【図２】
2012239110.tif 000004
【図３】
2012239110.tif 000005